(57)【要約】【課題】  本発明は上記内装の入角部及び又は出角部に地震による「ひずみ」を逃し、内装面の亀裂又は圧縮変形を緩和することを目的とする。【解決手段】  建築物の構造体１の壁面２，２’に胴縁３を介して張設する方形ボード４，４’において、該ボード４，４’の外縁４”に大幅内側薄板５’、小幅外側薄板５”及び溝底薄板５ａよりなる溝形材５を嵌合し、上記溝底薄板５ａと上記外縁４”との間にクッション材６を介在させ、上記溝底薄板５ａの外面に上記内側又は外側薄板５’，５”の外面を接して出角部８又は入角部８’を形成する免震コーナー部材。【選択図】  図１
2006348577.tif 000002
【特許請求の範囲】
【請求項１】
建築物の構造体の壁面に胴縁を介して張設する方形ボードにおいて、
該ボードの外縁に大幅内側薄板、小幅外側薄板及び溝底薄板よりなる溝形材を嵌合し、
上記溝底薄板と上記外縁との間にクッション材を介在させ、
上記溝底薄板の外面に上記内側又は外側薄板の外面を接して出角部又は入角部を形成する免震コーナー部材。
【請求項２】
上記方形ボードが内装ボードであり、上記溝形材がステンレス鋼、亜鉛メッキ鋼、塩化ビニール又は木製の薄板によって形成された請求項１記載の免震コーナー部材。
【請求項３】
上記内側薄板に上記胴縁に向う釘孔を穿設してなる請求項１又は２記載の免震コーナー部材。
【請求項４】
上記方形ボード及び溝形金具の外側に仕上げ内装材を貼着又は塗着するようにした請求項１〜３のいずれかに記載の免震コーナー部材。
【発明の詳細な説明】
【技術分野】
【０００１】
本発明はコンクリート建築物における内装下地の耐震又は免震コーナー部材に関するものである。
【背景技術】
【０００２】
地震に際し、建築物では柱と壁又はスラブとの間のコーナー部分に不慮の圧縮・牽引・剪断又は曲げを生じ内装下地材に亀裂又は変形等を生じ、かつ内装材の傾倒又は摺動により、室内配置家具等の転倒又は倒伏を生じる。
【０００３】
そこで震動に対して内装の震度を緩和する必要があった（例えば特許文献１、２、３、４、５）。
【０００４】
しかしながら壁面の入角部及び出角部における内装ボードの逃げが充分でなく、構造を簡略化し難いという問題があった。
【０００５】
【特許文献１】特開平８−３５３１１号公報
【特許文献２】実用新案登録第３０１５６５８号公報
【特許文献３】特開平９−２２８６０６号公報
【特許文献４】実開平３−１２５１０９号公報
【特許文献５】特開２０００−３２０１７８号公報
【発明の開示】
【発明が解決しようとする課題】
【０００６】
本発明は上記内装の入角部及び又は出角部に地震による「ひずみ」を逃し、内装面の亀裂又は圧縮変形を緩和することを目的とする。
【課題を解決するための手段】
【０００７】
上記の目的を達成するため本発明は
第１に建築物の構造体の壁面に胴縁を介して張設する方形ボードにおいて、該ボードの外縁に大幅内側薄板、小幅外側薄板及び溝底薄板よりなる溝形材を嵌合し、上記溝底薄板と上記外縁との間にクッション材を介在させ、上記溝底薄板の外面に上記内側又は外側薄板の外面を接して出角部又は入角部を形成する免震コーナー部材、
第２に上記方形ボードが内装ボードであり、上記溝形材がステンレス鋼、亜鉛メッキ鋼、塩化ビニール又は木製の薄板によって形成された上記第１発明記載の免震コーナー部材、
第３に上記内側薄板に上記胴縁に向う釘孔を穿設してなる上記第１又は第２発明記載の免震コーナー部材、
第４に上記方形ボード及び溝形金具の外側に仕上げ内装材を貼着又は塗着するようにした上記第１〜３発明のいずれかに記載の免震コーナー部材、
によって構成される。
【０００８】
従って建築物の入角部又は出角部に地震時、圧縮力と引張力とによる振動が掛ると、方形ボードが往復摺動し、
上記ボードの両縁の溝形材内において、入角部又は出角部の一方でクッション材を上記溝形材の溝底薄板に向って圧縮し、他方でクッション材から分離する。
【０００９】
上記クッション材の圧縮分離によって隣接ボードに掛る力は入角部及び出角部において開放され両ボードの亀裂傾向は阻止される。
【発明の効果】
【００１０】
本発明は上述のように構成したので、地震に際し、建築物の入角部及び出角部において内装ボードに掛る面方向圧縮力、引張力が溝形金具内の上記クッション材によって緩和され、内装ボードの亀裂及び転倒を防止することができる。
【００１１】
即ち建築物等内装仕上げ下地施工において、耐風、地震等の外力で層間変異による軸組、壁下地のゆがみ、剪断、曲げ応力による破壊、破断を吸収するコーナー部材で壁においては出角、入角、梁、天井下、天井においては廻り縁部分等に使用することができる。
【発明を実施するための最良の形態】
【００１２】
コンクリート建築物におけるコンクリート、木造又は鉄骨造構造体１の直交壁面２，２’に沿って木製の野縁又は胴縁３，３を介して内装用長方形ボード４，４’，４’を張設する。
【００１３】
上記長方形ボード４，４’，４’には合板又は石膏ボードが用いられ、該ボード４，４’，４’の両側外縁４”，４”にステンレス鋼、亜鉛メッキ鋼、塩化ビニール又は木材等の薄板を折曲げてなる溝形材５，５を嵌合する。
【００１４】
上記溝形材５は図２(イ)(ロ)図に示すように内外側薄板５’，５”を接続する溝底薄板５ａとよりなる杆状縁材であって、図２(イ)(ロ)図に示すように内側薄板５’が大幅で外側薄板５”が小幅に形成される。
【００１５】
そして、図１に示すように上記溝形材５の内部にクッション材６を挿入し、溝底薄板５ａと上記外縁４”との間に該クッション材６を介在させる。
【００１６】
クッション材６は発泡スチロール杆によって形成され、図６に示すようにステンレス鋼によるジグザグ屈曲板６’を用いることができるし、耐熱耐火性のものが良い。
【００１７】
大幅内側薄板５’は上記構造体１のコーナー部で胴縁３(又は野縁)に接し、釘孔７を経て該内側薄板５’を胴縁３(又は野縁)に釘着７’する。
【００１８】
このようにして図１に示すように出角部８では隣接ボード４’の直立溝形材５の溝底薄板５ａの外面に正面ボード４の水平溝形材５の上記内側薄板５’の外面を接し内装出角コーナー８を形成し、
入角部８’では正面ボード４の水平溝形材５の溝底薄板５ａの外面に隣接ボード４’の溝形材５の外側薄板５”の外面を接して内装入角コーナー８’を形成することができる。
【００１９】
上記ボード４，４’の長さには定尺で１．８ｍ、２．０ｍ、２．７ｍ、３．６ｍ、４．０ｍ等があり、
上記溝形材５の長さも上記ボード４，４’の定尺長さ又は幅に形成され、内側薄板５’の幅を３０ｍｍ、外側薄板５”の幅を２０ｍｍ、溝底薄板５ａの内幅は上記ボード４，４”の厚で１０ｍｍ程度とし、上記薄板５’，５”，５ａの厚さは０．２ｍｍ程度とする。
【００２０】
上記ボード４，４’及び溝形材５によって内装下地面が形成され、その外面及び上記出角部８、入角部８’の外側面に紙、布又は塗装等による仕上げ内装材９(図１)を貼着又は塗着する。
【００２１】
従って、図１矢印ａ、ｂ、ｃの方向又はその反対方向ａ’、ｂ’、ｃ’の外力が加わることによって上記ボード４，４’と溝形材５，５とはクッション材６，６による緩衝吸収によって出角部８及び入角部８’における外力は緩和され、層間変異による軸組、壁下地(内装下地)のゆがみ、剪断、曲げ応力による破壊はコーナー部即ち出角部８及び又は入角部８’で吸収される。
【００２２】
尚図４、図５中５ｂは上記ボード４，４’の上縁に嵌合させた溝形材である。
【図面の簡単な説明】
【００２３】
【図１】本発明の免震コーナー部材の平面図である。
【図２】（イ)図は溝形金具の平面図、(ロ)図は(イ)図の斜視図である。
【図３】図１の一部分解斜視図である。
【図４】図１の全部分解斜視図ある。
【図５】溝形金具を嵌合した上記方形ボードの正面図である。
【図６】クッション材の１例を示す斜視図である。
【図７】コンクリート建築物の内装状態の透視図である。
【符号の説明】
【００２４】
１        建築物の構造体
２，２’  壁面
３        胴縁
４，４’  方形ボード
４”      外縁
５        溝形材
５’      大幅内側薄板
５”      小幅外側薄板
５ａ      溝底薄板
６        クッション材
７        釘孔
８        出角部
８’      入角部
【図１】
2006348577.tif 000003
【図２】
2006348577.tif 000004
【図３】
2006348577.tif 000005
【図４】
2006348577.tif 000006
【図５】
2006348577.tif 000007
【図６】
2006348577.tif 000008
【図７】
2006348577.tif 000009